(57)【要約】【課題】  ソケット幅を減少して複数本の主索を水平方向の少ないスペースに容易に並列配置できるエレベーター主索の引き止め具を得る。【解決手段】  テーパー状空所２の小径側に主索３を挿通したソケット１を設け、また先細側をテーパーの小径側にして複数の楔片６をテーパー状空所２内に配置し、テーパー状空所２の横断面において主索３を中心とし対向して設け、一側を主索３側面に接し他側はテーパー状空所２内面に対向して配置する。  これによって、主索３をテーパー状空所２に小径側から挿通し楔片６の相互間に配置し、楔片６をテーパー状空所２の小径側に押し込みソケット１と主索３を結合する。この構成によりソケット１幅を狭くでき複数本の主索３を少ないスペースに容易に並列に配置でき、また吊設した主索３の傾斜角の増大を防止する。【選択図】        図１
2005047673.tif 000002
【特許請求の範囲】
【請求項１】
テーパー状空所が設けられて上記テーパーの小径側にエレベーターの主索が挿通されたソケットと、上記テーパー状空所内に配置されて先細側が上記テーパーの小径側に配置され、かつ上記テーパー状空所の横断面において上記主索を中心とし互いに対向して配置されて、一側が上記主索側面に接し他側は上記テーパー状空所内面に対向して装備された複数の楔片とを備えたエレベーター主索の引き止め具。
【請求項２】
楔片を、主索を中心とした対称位置に設けられて、一側が上記主索側面に接し他側はテーパー状空所内面に接して配置されたものとしたことを特徴とする請求項１記載のエレベーター主索の引き止め具。
【請求項３】
楔片を、テーパー状空所の横断面において主索を中心として上記主索の子縄のそれぞれに対応した複数個が放射状に配置されて一側が上記主索側面に接し、他側は上記テーパー状空所の大径部側で分離されて屈曲され上記テーパー状空所内面に沿って延長された上記子縄の一つを介して上記テーパー状空所内面に対向して配置されたものとしたことを特徴とする請求項１記載のエレベーター主索の引き止め具。
【請求項４】
互いに対向した楔片に設けられてソケットのテーパー状空所内で相互に係合し、上記楔片によって把持された主索に作用する負荷の反力を互いに対向した上記楔片に分散して伝達する係合部を備えたことを特徴とする請求項１〜請求項３のいずれか一つに記載のエレベーター主索の引き止め具。
【発明の詳細な説明】
【技術分野】
【０００１】
この発明は、昇降路の固定部又は昇降体に主索の端部を連結するエレベーター主索の引き止め具に関する。
【背景技術】
【０００２】
従来のエレベーター主索の引き止め具においては、ソケットにテーパー状空所が設けられてソケットのテーパー状空所の大径側がエレベーターの昇降体側に配置される。そして、ソケットのテーパー状空所の小径側にエレベーターの主索が挿通され、主索がソケットのテーパー状空所内で屈曲されてループ状部が形成される。
【０００３】
そして、屈曲部の先端がソケット外に引き出される。また、ソケット内において主索の屈曲部によって形成されたループ状部の空所に楔材が嵌合されて、楔材の先細側がソケットのテーパー状空所の小径側に配置される。この状態で、主索及び楔材がソケットのテーパー状空所の小径側に押し付けられて、主索がソケットに連結される。また、ソケット外で主索の挿通部側と屈曲部の先端側がクリップによって相互に締結される。
【０００４】
従来のエレベーター主索の引き止め具は上記のように構成され、ソケットのテーパー状空所の大径側に係合されたねじ棒を介して、ソケットがエレベーターのかご等の昇降体に連結され、主索によって昇降体を吊持するように構成されている。（例えば、特許文献１参照）。
【０００５】
【特許文献１】実開昭５９−３００６７号公報（第６図）
【発明の開示】
【発明が解決しようとする課題】
【０００６】
従来のエレベーター主索の引き止め具では、主索がソケットのテーパー状空所内で屈曲されてループ状部が形成される。このため、ソケットの幅寸法が増し複数本の主索を並列に配置する場合に、エレベーターの昇降路固定部又は昇降体に主索を連結する水平方向のスペースが不足して主索の吊設が制約されたり、昇降体が昇降路端に接近したときに鉛直線に対する主索の傾斜角が増大することによる支障が発生したりするという問題点があった。
【０００７】
この発明は、かかる問題点を解消するためになされたものであり、幅の狭いソケットによって構成されたエレベーター主索の引き止め具を得ることを目的とする。
【課題を解決するための手段】
【０００８】
この発明に係るエレベーター主索の引き止め具においては、テーパー状空所が設けられてテーパー状空所の小径側にエレベーターの主索が挿通されたソケットと、テーパー状空所内に配置されて先細側がテーパー状空所の小径側に配置され、かつテーパー状空所の横断面において主索を中心とし配置されて、一側が主索側面に接し他側はテーパー状空所内面に対向して装備された複数の楔片とが設けられる。
【発明の効果】
【０００９】
この発明は以上説明したように、テーパー状空所が設けられてテーパー状空所の小径側にエレベーターの主索が挿通されたソケットと、テーパー状空所内に配置されて先細側がテーパー状空所の小径側に配置され、かつテーパー状空所の横断面において主索を中心とし対向して配置されて、一側が主索側面に接し他側はテーパー状空所内面に対向して装備された複数の楔片とを設けたものである。
【００１０】
これによって、主索がソケットのテーパー状空所に小径側から挿通され、互いに対向した楔片の相互間に配置され、楔片がソケットのテーパー状空所の小径側に押し込まれて、ソケットと主索とが結合される。この構成によって、ソケットの幅を狭くすることができ複数本の主索を並列に配置する場合に、エレベーターの昇降路固定部又は昇降体に主索を連結する水平方向のスペースが少ないときであっても主索の張設を容易化する効果がある。また、主索に吊持された昇降体が昇降路端に接近したときに鉛直線に対する主索の傾斜角が増大することによる支障の発生を未然に防止する効果がある。
【発明を実施するための最良の形態】
【００１１】
実施の形態１．
図１及び図２は、この発明の実施の形態の一例を示す図で、図１は縦断面図、図２は図１の側面図であり主索のクリップ締結箇所を含めて示す図である。図において、ソケット１にテーパー状空所２が設けられてテーパー状空所２の小径側にエレベーター（図示しない）の主索３が挿通される。また、テーパー状空所２の大径側寄りにおけるソケット１の端部に連結用孔４が、またソケット１のテーパー状空所２の大径部端対応位置に主索引き出し孔５が設けられる。
【００１２】
そして、二つの楔片６がテーパー状空所２内に配置されて先細側がテーパー状空所２の小径側に配置され、かつテーパー状空所２の横断面において主索３を中心とし二つの楔片６が互いに対向して配置されて、それぞれの楔片６の一側が主索３側面に接し他側はテーパー状空所２内面に接して配置される。また、それぞれの楔片６における主索３側の互いに対向した側面には互いに噛み合う複数個の突歯からなる係合部７が設けられる。
【００１３】
また、小径側からソケット１のテーパー状空所２に挿通された主索３は、互いに対向した楔片６の相互間を経てテーパー状空所２内で屈曲される。そして、その先端が主索引き出し孔５からソケット１外に引き出されて、ソケット１外で主索３の挿通部側と引き出された主索３先端側とが周知のロープクリップ８によって相互に締結される。
【００１４】
上記のように構成されたエレベーター主索の引き止め具において、互いに対向し係合部７を相互に噛み合わせて係合した楔片６がソケット１のテーパー状空所２内に挿入される。次いで、主索３がソケット１のテーパー状空所２に小径側から挿通され、互いに対向した楔片６の相互間を経てテーパー状空所２内で屈曲され、その先端が主索引き出し孔５からソケット１外に引き出される。
【００１５】
この状態で、楔片６がソケット１のテーパー状空所２の小径側に押し込まれて、ソケット１と主索３が強固に結合される。次いで、ソケット１外で主索３の挿通部側と引き出されて屈折された主索３先端側とがロープクリップ８によって相互に締結される。そして図示が省略してあるが、ソケット１のテーパー状空所２の大径側に係合されたねじ棒を介して、ソケットがエレベーターのかご等の昇降体に連結されて主索３によってエレベーターの昇降体が吊持される。
【００１６】
上記の構成によって、ソケット１の幅を狭くすることができ複数本の主索３を並列に配置する場合に、エレベーターの昇降路固定部又は昇降体に主索３を連結する水平方向のスペースが少ないときであっても主索３を容易に張設することができる。また、主索３に吊持された昇降体が昇降路端に接近したときに主索３の鉛直線に対する傾斜角が増大することによる支障の発生を未然に防ぐことができる。
【００１７】
また、図１及び図２の実施の形態において、互いに対向した楔片６が係合部７によって相互に噛み合わされて係合されてソケット１のテーパー状空所２内に配置される。このため、互いに対向した楔片６によって把持された主索３に作用する負荷の反力が、係合部７によって互いに対向した楔片６に分散して伝達されて支持される。したがって、エレベーター主索の引き止め具において安定した主索３の連結機能を得ることができる。
【００１８】
実施の形態２．
図３及び図４は、この発明の他の実施の形態の一例を示す図で、図３は縦断面図、図４は図３の拡大平面図である。図において、前述の図１及び図２と同符号は相当部分を示し、ソケット１のテーパー状空所２の小径側に主索３が挿通される。そして、テーパー状空所２の大径側寄り位置において主索３の子縄９が分離され、また主索３の心綱が切除される。
【００１９】
そして、分離された子縄９のそれぞれが屈曲されて、屈曲側がソケット１のテーパー状空所２内面の長手に沿って延長される。なお、テーパー状空所２の横断面において屈曲された子縄９は主索３を中心として放射状に配置される。
【００２０】
そして、屈曲された子縄９の先端側がそれぞれテーパー状空所２の小径側からソケット１外に引き出されて、ソケット１外で主索３の挿通部側と引き出された子縄９の先端側が周知のロープクリップ８によって相互に締結される。また、子縄９が屈曲されてなる空所のそれぞれに、楔片１０が先細側をテーパー状空所２の小径側にして配置されて、それぞれの楔片１０の一側が主索３側面に接し他側は子縄９の一つを介してテーパー状空所２内面に対向して配置される。
【００２１】
なお、テーパー状空所２内面には対向して配置された子縄９に対応した溝部１１がテーパー状空所２の長手に沿って設けられる。また、楔片１０の主索３側面及び分離された子縄９に対応する箇所には、主索３側面又は子縄９側面に対応した溝状凹所１２が設けられる。
【００２２】
上記のように構成されたエレベーター主索の引き止め具において、主索３がソケット１のテーパー状空所２に小径側から挿通され、テーパー状空所２の大径側におけるソケット１外で子縄９が分離されてそれぞれ外側方向に屈曲される。そして、子縄９それぞれの屈曲部内に楔片１０があてがわれて楔片１０の先細側がテーパー状空所２に小径側に配置される。また、子縄９の屈曲部先端がテーパー状空所２の小径側に挿通される。この状態で、主索３及び子縄９の屈曲部先端側がソケット１のテーパー状空所２に小径側に引き寄せられる。
【００２３】
これによって、楔片１０が主索３及び子縄９と諸共にソケット１のテーパー状空所２の小径側に押し込まれて、ソケット１と主索３が強固に結合される。
以上説明した構成においてもソケット１の幅を狭くすることができるので詳細な説明を省略するが図３及び図４の実施の形態においても図１及び図２の実施の形態と同様な作用が得られる。
【図面の簡単な説明】
【００２４】
【図１】この発明の実施の形態１を示す縦断面図。
【図２】図１の側面図であり主索のクリップ締結箇所を含めて示す図。
【図３】この発明の実施の形態２を示す縦断面図。
【図４】図３の拡大平面図。
【符号の説明】
【００２５】
１  ソケット、２  テーパー状空所、３  主索、６  楔片、７  係合部、９
子縄、１０  楔片。
【図１】
2005047673.tif 000003
【図２】
2005047673.tif 000004
【図３】
2005047673.tif 000005
【図４】
2005047673.tif 000006